【手続補正書】
【提出日】平成19年3月26日(2007.3.26)
【手続補正１】
【補正対象書類名】明細書
【補正対象項目名】発明の名称
【補正方法】変更
【補正の内容】
【発明の名称】映像信号処理装置
【手続補正２】
【補正対象書類名】明細書
【補正対象項目名】特許請求の範囲
【補正方法】変更
【補正の内容】
【特許請求の範囲】
【請求項１】  入力映像信号に位相同期したクロックを発生するクロック発生手段と、
前記クロック発生手段により発生されたクロックに応じて前記入力映像信号をサンプリングするサンプリング手段と、
前記サンプリング手段の出力のうち、隣接サンプルよりも大きな値を持つサンプルを選択すると共に、前記選択したサンプルのうち最大値を持つサンプルを検出する最大値検出手段と、
前記サンプリング手段が互いに異なる複数の位相の前記クロックに応じて前記入力映像信号をサンプリングした場合に前記複数の位相について前記最大値検出手段により検出された前記最大値のサンプルを比較し、この比較結果に基づいて前記クロック発生手段を制御して前記クロックの位相を調整する制御手段とを備えることを特徴とする映像信号処理装置。
【請求項２】  前記制御手段は、前記入力映像信号の１画素期間をｎ等分した変化量ずつ位相が異なるクロックを発生するよう前記クロック発生手段を制御すると共に、前記変化量ずつ異なる複数の位相について前記最大値検出手段により検出された最大値のサンプルを比較することを特徴とする請求項１記載の映像信号処理装置。
【請求項３】  入力映像信号に位相同期したクロックを発生するクロック発生手段と、
前記クロック発生手段により発生されたクロックに応じて前記入力映像信号をサンプリングするサンプリング手段と、
前記サンプリング手段の出力のうち、隣接サンプルよりも大きな値を持つサンプルを選択すると共に、前記選択したサンプルのうち最大値を持つサンプルを検出する最大値検出手段と、
それぞれ前記クロック発生手段が異なる位相の前記クロックを発生し、前記サンプリング手段が前記異なる位相のクロックに応じて前記入力映像信号をサンプリングする複数のモードの間でモードを切り替えるモード切り替え手段と、
前記複数のモードにおいてそれぞれ前記最大値検出手段により検出される複数の前記最大値のサンプルを比較し、この比較結果に基づいて前記クロック発生手段を制御して前記クロックの位相を調整する制御手段とを備えることを特徴とする映像信号処理装置。
【請求項４】  前記最大値検出手段は、前記入力映像信号の指定された領域内における前記サンプリング手段の出力のうち、隣接サンプルよりも大きな値を持つサンプルを選択することを特徴とする請求項１〜３の何れか１項に記載の映像信号処理装置。
【手続補正３】
【補正対象書類名】明細書
【補正対象項目名】０００１
【補正方法】変更
【補正の内容】
【０００１】
【発明の属する技術分野】
本発明は、映像信号処理装置に関し、特に、入力映像信号に位相同期したクロックの発生動作に関するものである。
【手続補正４】
【補正対象書類名】明細書
【補正対象項目名】０００７
【補正方法】変更
【補正の内容】
【０００７】
【課題を解決するための手段】
本発明の映像信号処理装置は、入力映像信号に位相同期したクロックを発生するクロック発生手段と、前記クロック発生手段により発生されたクロックに応じて前記入力映像信号をサンプリングするサンプリング手段と、前記サンプリング手段の出力のうち、隣接サンプルよりも大きな値を持つサンプルを選択すると共に、前記選択したサンプルのうち最大値を持つサンプルを検出する最大値検出手段と、前記サンプリング手段が互いに異なる複数の位相の前記クロックに応じて前記入力映像信号をサンプリングした場合に前記複数の位相について前記最大値検出手段により検出された前記最大値のサンプルを比較し、この比較結果に基づいて前記クロック発生手段を制御して前記クロックの位相を調整する制御手段とを備えることを特徴とする。
【手続補正５】
【補正対象書類名】明細書
【補正対象項目名】０００８
【補正方法】変更
【補正の内容】
【０００８】
また、本発明の映像信号処理装置は、入力映像信号に位相同期したクロックを発生するクロック発生手段と、前記クロック発生手段により発生されたクロックに応じて前記入力映像信号をサンプリングするサンプリング手段と、前記サンプリング手段の出力のうち、隣接サンプルよりも大きな値を持つサンプルを選択すると共に、前記選択したサンプルのうち最大値を持つサンプルを検出する最大値検出手段と、それぞれ前記クロック発生手段が異なる位相の前記クロックを発生し、前記サンプリング手段が前記異なる位相のクロックに応じて前記入力映像信号をサンプリングする複数のモードの間でモードを切り替えるモード切り替え手段と、前記複数のモードにおいてそれぞれ前記最大値検出手段により検出される複数の前記最大値のサンプルを比較し、この比較結果に基づいて前記クロック発生手段を制御して前記クロックの位相を調整する制御手段とを備えることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
前記のように構成した本発明によれば、入力映像信号に同期した位相を持つクロックを発生させ、このクロックに応じて、前記入力映像信号がサンプリングされ、そのうちの最大値を持つサンプルが検出される。そして、異なる複数の位相のクロックに応じて前記入力映像信号をサンプリングした場合に、複数の位相について検出された最大値のサンプルを比較し、その比較結果に基づいて前記クロックの位相が調整される。これにより、各種の画像モードの映像信号が入力されたとしても、サンプリングに用いるクロックと入力映像信号との位相のずれがなくなるようにクロックの位相が調整され、最適なサンプリング位相で映像信号をサンプリングできるようになる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００７８
【補正方法】変更
【補正の内容】
【００７８】
【発明の効果】
以上説明したように、本発明によれば、クロック発生手段により入力映像信号に同期した位相を持つクロックを発生し、このクロックに応じて、前記入力映像信号をサンプリングし、サンプリングされたサンプルのうち最大値を持つサンプルを検出する。そして、異なる複数の位相のクロックに応じて前記入力映像信号をサンプリングした場合に、複数の位相について検出された最大値のサンプルを比較し、その比較結果に基づいて前記クロック発生手段を制御して、クロックの位相を調整する。これにより、各種の画像モードの映像信号が入力されたとしても、サンプリングに用いるクロックと入力映像信号との位相のずれがない最適なサンプリング位相で映像信号がサンプリングでき、入力映像信号の画像品位を損なわず、高品位な映像を提供することができる。
【手続補正１５】
【補正対象書類名】明細書
【補正対象項目名】００７９
【補正方法】削除
【補正の内容】
【手続補正１６】
【補正対象書類名】明細書
【補正対象項目名】００８０
【補正方法】削除
【補正の内容】
【手続補正１７】
【補正対象書類名】明細書
【補正対象項目名】００８１
【補正方法】削除
【補正の内容】
【手続補正１８】
【補正対象書類名】明細書
【補正対象項目名】００８２
【補正方法】削除
【補正の内容】
【手続補正１９】
【補正対象書類名】明細書
【補正対象項目名】００８３
【補正方法】削除
【補正の内容】